(57)【特許請求の範囲】
【請求項１】
容器体（２）の口頸部（８）内に、注出口（22）付き頂壁（24）裏面から垂下する栓筒（26）を嵌着した中栓（20）を具備し、その注出口（22）をキャップ（50）で閉塞した中栓付き容器において、上記口頸部（８）の基端部外周面を上端小径のテーパ状斜面（16）とし、上記中栓（20）の頂壁（24）外周から垂下した外周壁（20ｂ）の下端を上記テーパ状斜面（16）外周部付近に配置して、この外周壁（20ｂ）下部で形成する操作筒部（32）の周方向の何れか一部を内方押込みすると、該一部のテーパ状斜面（16）への乗上げにより中栓（20）を押上げて取り外し可能に設け、上記キャップ周壁（54）を上記中栓（20）の操作筒部（32）まで垂設して、キャップ（50）を外さない限り上記操作筒部（32）を押込み出来ないように設け、上記操作筒部（32）を、複数の切割り（40）を縦設することにより、周方向に相互に対向する複数対の押込み板部（42）に形成したことを特徴とする、中栓付き容器。
【請求項２】
上記中栓（20）は、操作筒部（32）を除く外周壁（20ｂ）部分を口頸部（８）の対応部分外面へ回動不能に嵌合しており、また、上記キャップ（50）は、上記注出口（22）へ嵌合した栓部（56）を天板（52）裏面に付設するとともに、この天板（52）周縁から垂下したキャップ周壁（54）を、上記操作筒部（32）を除く外周壁（20ｂ）部分外面へ螺合させたことを特徴とする、請求項１記載の中栓付き容器。
【請求項３】
上記操作筒部（32）を除く外周壁（20ｂ）部分内面と口頸部（８）の対応部分外面との一方には、周方向に間隔を存して複数の第１回転止め突条（14）を、他方には第１回転止め突条（14）と係合する少なくとも１つの第２回転止め突条（36）を、それぞれ縦設したことを特徴とする、請求項２記載の中栓付き容器。
【発明の詳細な説明】
【技術分野】
【０００１】
本発明は、中栓付き容器、特に内容物を再充填することが容易なリフィール用中栓付き容器に関する。
【背景技術】
【０００２】
容器体口頸部内に嵌合した栓筒を注出口付きの頂壁から垂下した中栓と、この中栓を覆うキャップとを具備した容器において、内容物を使い切ったときには、従来、キャップを外して中栓の頂壁外縁部に指を当てて中栓を外し、口頸部から内容物を補充していた。
【０００３】
ところが、上記中栓には指掛かりがなくて外し難かったため、上記容器の口頸部上部を上向き段部を介して縮径する小外径部に形成するとともに、この小外径部外面に中栓の頂壁外縁部から垂下した嵌合筒を嵌め合わせた構造において、この嵌合筒外面の周方向一部に指掛け凹部を付設したり（特許文献１）、或いは上記嵌合筒の下面と上記上向き段部との間に、中栓の回転により一方の上に他方が乗り上げるように形成した一対の係合突起をそれぞれ付設したり（特許文献２）することが行われている。
【特許文献１】特開2001−097428号
【特許文献２】特開2001−158456号
【特許文献３】特開2004−359239号
【発明の開示】
【発明が解決しようとする課題】
【０００４】
特許文献１及び特許文献２の容器では、口頸部外面の上部に嵌合した中栓の嵌合筒外面に指を当てて上方或いは周方向に力を加えて外すものであるが、口頸部外面の下部をキャップ周壁との嵌合面として利用する関係から、嵌合筒外面を十分に大きくとることが困難なので、口頸部内への栓筒の嵌合強度によっては、指掛け凹部を設けてもなお、指が滑るなどして力を加え難いというおそれがあり、また、指掛け凹部に掛けた指先に無理に力を入れると、この指先が痛くなる場合もあった。
【０００５】
こうした不都合を解消するためには、口頸部の径方向内方へ加えた力を、倍力機構により押上げ力に変換するような構造とすることが望ましい。
【０００６】
こうした構造として、中栓の押上げ手段ではないが、例えば特許文献３は、口頸部の基部外面で形成する上端小径のテーパ状面の外周部に、口頸部を囲成する押上筒の下端部を接近させるとともに、この押上筒の左右両部から起立する押上げ腕を、口頸部に支持させたキャップ本体を貫通してこの本体上面を開閉する蓋体に当接させ、上記押上筒の左右内方への押込みにより押上筒左右両壁がテーパ状面へ乗り上げて蓋体を開方向へ押圧するように設けたものを開示している。
【０００７】
しかしながら、特許文献３の倍力機構を中栓付き容器に取り入れるにしても、この機構の押上筒は口頸部を囲成しているため、これを、口頸部外面下半へキャップを嵌合した中栓付き容器に対してどのように組み付けるかが問題となり、少ない部材数でキャップの着脱の支障にならないようにすることが望ましい。又、上記押上筒は左右両側から押し込み可能に構成しているが、この構造を、口頸部にキャップを着脱するタイプの容器に導入すると操作部がどこにあるのかが需要者に判り難い。
【０００８】
そこで本発明は、内容物の詰替作業の際に中栓外周壁のどこでも軽く押し込むことで脱栓することができる全方位操作型であり、又口頸部への再嵌合する際の中栓の周方向の向きも自由である、使い勝手の良い中栓付き容器を提供することを目的とする。
【課題を解決するための手段】
【０００９】
第１の手段は、容器体２の口頸部８内に、注出口22付き頂壁24裏面から垂下する栓筒26を嵌着した中栓20を具備し、その注出口22をキャップ50で閉塞した中栓付き容器において、上記口頸部８の基端部外周面を上端小径のテーパ状斜面16とし、上記中栓20の頂壁24外周から垂下した外周壁20ｂの下端を上記テーパ状斜面16外周部付近に配置して、この外周壁20ｂ下部で形成する操作筒部32の周方向の何れか一部を内方押込みすると、該一部のテーパ状斜面16への乗上げにより中栓20を押上げて取り外し可能に設け、上記キャップ周壁54を上記中栓20の操作筒部32まで垂設して、キャップ50を外さない限り上記操作筒部32を押込み出来ないように設け、上記操作筒部32を、複数の切割り40を縦設することにより、周方向に相互に対向する複数対の押込み板部42に形成した。
【００１０】
本手段は、従来の中栓の頂壁外周部から垂下する外周壁と、口頸部の基端部に形成したテーパ状斜面とで、中栓を押し上げるための倍力機構を構成したものである。
【００１１】
「テーパ状斜面」は、内方へ押し込んだ上記外周壁が摺り上がるように形成したものであり、この外周壁を何れの半径方向からも押し込むことができるように、口頸部の全周に亘って設けている。このテーパ状斜面は、水平面に対する角度が45度以下とすることが望ましい。
【００１２】
「中栓」は、中心部に注出口を有する頂壁の裏面から口頸部内面への密嵌用の栓筒を垂下した通常の栓本体と、上記頂壁の外周部から垂下した外周壁とで形成している。これら両者は一体成形することが望ましい。尚、中栓と容器体口頸部とには、相互に係合する、中栓抜止め用の係合手段をそれぞれ形成することが望ましい。
【００１３】
「外周壁」は、内方押込みにより、上記テーパ状斜面へ強制的に乗り上げることで中栓の栓本体を容器体口頸部から押し上げる機能を有し、その押し上げに必要十分な程度の強度（剛性）と、内方押込みが可能な程度の弾性とを有している。また、外周壁は、任意の半径方向から押し込むことができるように、外周壁の下端全周を、テーパ状斜面の外周部付近に配置している。ここで、テーパ状斜面の外周部付近に配置するとは、当該外周部に当接させることを含むものとする。口頸部外面と外周壁内面との間には外周壁押込み代としての間隙を設ける。また、本手段は、上記キャップ周壁54を上記中栓20の操作筒部32まで垂設して、キャップ50を外さない限り上記操作筒部32を押込み出来ないように設けている。更に、上記操作筒部32を、複数の切割り40を縦設することにより、周方向に相互に対向する複数対の押込み板部42に形成している。本手段では、操作筒部の押込み変形が容易となるように割溝を縦設している。
【００１４】
第２の手段は、上記第１の手段を有し、かつ上記中栓20は、操作筒部を除く外周壁20ｂ部分を口頸部８の対応部分外面へ回動不能に嵌合しており、また、上記キャップ50は、上記注出口22へ嵌合した栓部56を天板52裏面に付設するとともに、この天板52周縁から垂下したキャップ周壁54を、上記操作筒部を除く外周壁20ｂ部分外面へ螺合させている。
【００１５】
本手段は、既述の如く外周壁20ｂの下部を内方押込み部（操作筒部）とするとともに、下部を除く外周壁部分をキャップ周壁との螺合筒としたものであり、一つの外周壁を内方押込み用及びキャップ螺着用に兼用したものである。内方押込み板である外周壁下部は、押込みし易いように、上記螺筒部と比較して肉薄に形成すると良い。
【００１６】
本手段では、上記外周壁に対してキャップ周壁へ螺着し或いは螺脱させる際に、キャップ周壁に追随して外周壁が口頸部の回りを回転することがないように、外周壁の無駄回り防止用の回転止め手段を下部を除く外周壁部分内面と口頸部対応部分外面とにそれぞれ形成している。
【００１７】
第３の手段は、上記第２の手段を有し、かつ上記操作筒部を除く外周壁20ｂ部分内面と口頸部８の対応部分外面との一方には、周方向に間隔を存して複数の第1回転止め突条14を、他方には第1回転止め突条14と係合する少なくとも１つの第２回転止め突条36を、それぞれ縦設している。
【００１８】
本手段では、口頸部に対して外周壁をどの周方向位置でも嵌合させても、外周壁と口頸部との間の回転止めが機能するように構成している。即ち、外周壁内面又は口頸部外面の何れかに間隔を存して縦設した複数の第1回転止め突条の何れかと第2係合突条とが係合するように設けている。
【発明の効果】
【００２２】
第１の手段に係る発明によれば次の効果を奏する。
○中栓20の外周から垂下した外周壁20ｂを内方へ押し込むことで中栓本体を口頸部から外すことができるようにしたから、外周壁を上方乃至周方向へ移動させる場合に比べて操作が容易である。
○上記中栓20は、中栓20の頂壁外周から外周壁20ｂを垂下したから、中栓の本体部分である頂壁及び栓筒と、この本体部分の押し上げ手段である外周壁とを一体として、一部品として成形することができ、部材数が多くなることがない。
○上記キャップ周壁54を上記中栓20の操作筒部32まで垂設したから、キャップ50を外さない限り操作筒部32を内方へ押し込むことができず、例えば容器を床に落としたときに操作筒部32が他物に当ってキャップ50が中栓20ごと口頸部８から外れるような不都合が起こらない。
○上記操作筒部32を、複数の切割り40を縦設することにより、周方向に相互に対向する複数対の押込み板部42に形成したから、該押込み板の内方押込みが容易となる。
【００２３】
第２の手段に係る発明によれば、次の効果を奏する。
○上記操作筒部32を内方押込み可能とするとともに、キャップ周壁54を、上記操作筒部を除く外周壁20ｂ部分外面へ螺合させたから、一つの外周壁20ｂを内方押込み用及びキャップ螺合用の二つの用途に兼用することができ、構造を簡易にすることができる。
○操作筒部を除く外周壁20ｂ部分を口頸部８の対応部分外面へ回動不能に嵌合したから、外周壁20ｂに対するキャップ周壁の螺合及び螺脱作業の際に外周壁20ｂの無駄回りを防止して、外周壁20ｂへのキャップ周壁の着脱をスムーズに行うことができる。
【００２４】
第３の手段に係る発明によれば、操作筒部を除く外周壁20ｂ部分内面と口頸部８の対応部分外面との一方には、周方向に間隔を存して複数の第1回転止め突条14を、他方には第1回転止め突条14と係合する少なくとも１つの第２回転止め突条36を、それぞれ縦設したから、外周壁20ｂに対してキャップ周壁54を周方向のどの位置に嵌合させても外周壁20ｂ外面に対してキャップ周壁54の回り止めをすることができ、使い勝手が良い。
【発明を実施するための最良の形態】
【００２７】
図１乃至図５は本発明の実施形態に係る中栓付き容器を示している。この容器は、容器体２と、中栓20と、キャップ50とで形成されている。これら各部材は合成樹脂で形成することができる。
【００２８】
容器体２は、胴部４からほぼ平坦な肩部６を介してほぼ円筒形状の口頸部８を起立している。
【００２９】
上記口頸部８は、口頸部下部８ａから上向き段部10を介して縮径する小外径の口頸部上部８ｂを起立しており、この口頸部上部８ｂの外面のうち上端寄り部分に係合凹条12を周設している。また、上向き段部10と係合凹条12との間の口頸部分外面には、図２に示す如く複数の第１回転止め突条14が相互に等間隔を存して縦設されている。
【００３０】
上記口頸部８の基端部は、上記肩部６内周端から上内方へ緩やかに傾斜する、円錐台形或いは浅いテーパ筒形の隆起壁に形成しており、この基端部の外周面をテーパ状斜面16としている。このテーパ状斜面は、口頸部８のどの半径方向から見ても水平面に対して一定の角度（図示例では30度程度）で傾斜している。
【００３１】
中栓20は、栓本体20ａと、外周壁20bとで形成される。
【００３２】
上記栓本体20ａは、中心部に注出口22を有する頂壁24の裏面から短い栓筒26を垂下してなり、この栓筒26を上記口頸部８の上端部に液密に嵌合させている。
【００３３】
上記外周壁20bは、上記中栓20の頂壁24外周から垂設しており、その外周壁下端部は上記テーパ状斜面16の外周部付近に配置させている。
【００３４】
図示の外周壁20bは、連結筒部28と螺合筒部30と操作筒部32とで形成している。上記連結筒部28は頂壁24外周部から口頸部上部８ｂの外面に沿って垂下しており、肉薄の弾性筒として形成している。上記螺合筒部30は上記連結筒部28と連続して段部34を介して大外径に拡径する肉厚筒部に形成しており、螺合筒部30の外面には螺条を形成している。螺合筒30の内面上端部には、上記係合凹条12内へ嵌合する係合凸条38を周設している。この係合凸条38下方の螺合筒部分は、口頸部下部８aの外径よりもやや大内径に形成してあり、その螺合筒部分内面に適数（図示例では４つ）の第２回転止め凸条36を縦設している。またこの第２回転止め凸条36の内面と口頸部上部８ｂの外面との間には、外周壁20bの押上げをスムーズにするための間隙Ａを設けている。上記操作筒部32は、口頸部下部８aとの間に間隙Ｂを存して上記螺合筒部30下面の外縁部から垂設している。操作筒部32の外径は螺合筒部30の外径よりも大きくしている。また操作筒部32の下端面内縁は既述テーパ状斜面16の外周部に当接させている。操作筒部32には複数（図示例では４本）の切割り40を縦設して、操作筒部32を前後一対及び左右一対の押込み板部42に分割している。
【００３５】
キャップ50は、天板52の外周部からキャップ周壁54を垂下した有頂筒状に形成しており、天板52の裏面中心部から垂下した栓部56を上記注出口22内に液密に嵌合させている。また、上記キャップ周壁54は、上記操作筒32下端とほぼ同じ高さまで垂下している。
【００３６】
上記構成において、図１の状態からキャップ50を開方向へ回転させると、外周壁20bは第１、第２回転止め突条14,36により口頸部８に対して回り止めされているので、外周壁20bの螺合筒部30からキャップ周壁54を螺脱させることができる。この状態で注出口から内容液を注出することができる。
【００３７】
内容液が残り少なくなったときには、キャップ50を外した後、図４に矢示する如く操作筒部32の相互に対向する一対の押込み板部42を押し込むと、これら押込み板部42の下端部がテーパ状斜面16の内周部側へ擦り上がって、螺合筒部30の上下両端部でやや屈曲しながら外周壁20b全体として上昇するので、係合凹条12と係合凸条38との係合が解ける。この状態で操作筒部32を更に引き上げると、栓筒26を口頸部８内面から引き抜くことができる。このようにして口頸部８上面全体を開口させて、リフィール用液体収納容器から本願容器内へ内容液を充填することができる。充填作業後には、先程と逆の手順で口頸部８の外面へ中栓20を、また中栓20の外周壁20b外面へキャップ50を順次嵌合させれば良い。尚、口頸部８へ中栓20を嵌合させる際に口頸部８外面には複数の第１回転止め突条14を縦設しているから、中栓20を最初の嵌合状態と異なる周方向向きにセットさせても口頸部８に対する中栓20の回り止めをすることができる。
【図面の簡単な説明】
【００３８】
【図１】本発明の実施形態に係る容器の要部縦断面図である。
【図２】図１の容器のII−II線での横断面図である。
【図３】図１の容器の分解斜視図である。
【図４】図１の容器からキャップを外した状態の縦断面図である。
【図５】図４から更に中栓を外す作業の説明図である。
【符号の説明】
【００３９】
２…容器体  ４…胴部  ６…肩部  ８…口頸部  ８ａ…同下部  ８ｂ…同上部
10…上向き段部  12…係合凹条  14…第1回転止め突条  16…テーパ状斜面  
20…中栓  20ａ…栓本体  20ｂ…外周壁  22…注出口  24…頂壁  26…栓筒
28…連結筒部  30…螺合筒部  32…操作筒部  34…段部  36…第２回転止め突条
38…係合凸条  40…切割り  42…押込み板部  50…キャップ  52…天板
54…キャップ周壁  56…栓部
【図１】
0004793813.tif 000002
【図２】
0004793813.tif 000003
【図３】
0004793813.tif 000004
【図４】
0004793813.tif 000005
【図５】
0004793813.tif 000006